(57)【要約】【課題】  ある原稿を複数の解像度で読み込んだとした場合におけるそれぞれの正確なスキャンデータ量及び画像品質を簡単に把握することができようにする。【解決手段】  複合機のスキャナ部が最高解像度で読み取ったスキャンデータを（Ｓ２）、スキャンデータ変換部が別の解像度に変換し（Ｓ４）、プロパティ情報検出部が変換前後の各スキャンデータの解像度及びデータ量を含むプロパティ情報を検出し（Ｓ５）、スキャンデータ送信部は各スキャンデータについての解像度をＰＣに送信する（Ｓ７）。ＰＣでは、当該各解像度を表示制御部がディスプレイに一覧表示させ（ＳＳ３）、ユーザが所望解像度を選択すると（ＳＳ４でＹＥＳ）、当該選択指示を指示送信部が複合機に送信する（ＳＳ５）。複合機は、当該指示が示す解像度のスキャンデータ及びそのデータ量をＰＣに送信し（Ｓ９）、ＰＣは、当該スキャンデータ及びデータ量をディスプレイに表示する（ＳＳ６）。【選択図】      図３
2006211616.tif 000002
【特許請求の範囲】
【請求項１】
スキャンデータを記憶可能な１以上の画像読取装置と、当該画像読取装置から受信した前記スキャンデータが表示される表示手段を有し、当該画像読取装置にネットワークを介して接続された１以上のコンピュータとを備えるファイル管理システムであって、
前記画像読取装置は、予定された解像度で原稿上の画像を読み取るスキャナ手段と、このスキャナ手段によって読み取られたスキャンデータを、上記とは別の予め定められた解像度に変換するスキャンデータ変換手段と、前記スキャンデータ変換手段による変換前後のスキャンデータについての解像度及びデータ量を含むプロパティ情報を検出するプロパティ情報検出手段と、前記変換前後のスキャンデータ又はこれらについてのプロパティ情報を前記コンピュータに送信するスキャンデータ送信手段とを有し、
前記コンピュータは、前記画像読取装置のスキャンデータ送信手段から受信した前記各スキャンデータのプロパティ情報に基づいて、前記各スキャンデータの解像度一覧を前記表示手段に表示させる第１表示制御手段と、この第１表示制御手段によって前記表示手段に表示される解像度一覧からユーザ所望解像度の選択を受け付ける解像度選択受付手段と、この解像度選択受付手段によって受け付けられた解像度からなるスキャンデータの送信要求指示を前記画像読取装置に送信する指示送信手段とを有し、
前記画像読取装置のスキャンデータ送信手段は、前記コンピュータの指示送信手段から送信されてくる前記指示が示す解像度のスキャンデータを前記コンピュータに送信し、前記コンピュータには、当該画像読取装置のスキャンデータ送信手段から送信されてきたスキャンデータ、及び前記プロパティ情報に基づく当該スキャンデータのデータ量を前記表示手段に表示させる第２表示制御手段が備えられているファイル管理システム。
【請求項２】
前記コンピュータは、前記スキャンデータを記憶可能な記憶手段と、前記第２表示制御手段によって前記表示手段に表示されているスキャンデータの保存指示を受け付ける保存指示受付手段と、前記保存指示受付手段によって前記スキャンデータの保存指示が受け付けられたとき、当該スキャンデータを前記記憶手段に保存させる制御手段と
を更に備える請求項１に記載のファイル管理システム。
【請求項３】
前記画像読取装置のスキャンデータ送信手段は、前記コンピュータの指示送信手段から前記指示が送信されてきたとき、当該指示が示す解像度のスキャンデータに代えて、当該スキャンデータのサムネイル画像データを前記コンピュータに送信する請求項１又は請求項２に記載のファイル管理システム。
【請求項４】
前記画像読取装置は、前記コンピュータの指示送信手段からの指示に基づいた解像度からなるスキャンデータの送信後、当該送信したスキャンデータ以外の別解像度スキャンデータを、前記各スキャンデータが記憶されているスキャンデータ記憶手段から消去するスキャンデータ消去手段を更に備える請求項１乃至請求項３のいずれかに記載のファイル管理システム。
【請求項５】
前記画像読取装置は、前記コンピュータの指示送信手段からの指示に基づいたスキャンデータの送信後、変換前の元スキャンデータのみを前記各スキャンデータが記憶されているスキャンデータ記憶手段に残すスキャンデータセーブ手段を更に備える請求項１乃至請求項３のいずれかに記載のファイル管理システム。
【請求項６】
前記スキャナ手段による原稿読取時の解像度、又は前記スキャンデータ変換手段によるスキャンデータ変換時の解像度の少なくとも一方は、ユーザによって任意に設定される請求項１乃至請求項５のいずれかに記載のファイル管理システム。
【請求項７】
原稿から読み取ったスキャンデータを、ネットワークを介してコンピュータに送信可能な画像読取装置であって、
予定された解像度で原稿上の画像を読み取るスキャナ手段と、
前記スキャナ手段によって読み取られたスキャンデータを、上記とは別の予め定められた解像度に変換するスキャンデータ変換手段と、
前記変換前後のスキャンデータ又はこれらについての解像度を前記コンピュータに送信すると共に、前記コンピュータから指示された解像度のスキャンデータを前記コンピュータに送信するスキャンデータ送信手段と、
前記スキャンデータ送信手段によって前記コンピュータにスキャンデータが送信された後、当該送信したスキャンデータ以外の別解像度スキャンデータを前記各スキャンデータが記憶されているスキャンデータ記憶手段から消去する処理、又は、変換前の元スキャンデータのみを前記スキャンデータ記憶手段に残す処理のいずれかを行うスキャンデータ整理手段と
を備える画像読取装置。
【請求項８】
画像読取装置からネットワークを介して受信したスキャンデータが表示される表示手段を有する画像表示装置であって、
前記画像読取装置から受信された、同一画像を異なる解像度で読み取った場合と同等の各スキャンデータのそれぞれの解像度と、これら各解像度のスキャンデータ量とを含むプロパティ情報を受信するプロパティ情報受信手段と、
前記プロパティ情報受信手段によって受信された各プロパティ情報に基づいて、前記変換前後のスキャンデータの解像度一覧を前記表示手段に表示させる第１表示制御手段と、
前記第１表示制御手段によって前記表示手段に表示される解像度一覧からユーザ所望解像度の選択を受け付ける解像度選択受付手段と、
前記解像度選択受付手段によって受け付けられた解像度からなるスキャンデータの送信要求指示を前記画像読取装置に送信する指示送信手段と、
前記指示送信手段から送信した前記指示に対応して、前記画像読取装置から送信されてきたスキャンデータ、及び前記プロパティ情報に基づく当該スキャンデータのデータ量を前記表示手段に表示させる第２表示制御手段と
を備える画像表示装置。
【請求項９】
画像読取装置からネットワークを介して受信したスキャンデータが表示される表示手段を有するコンピュータを、
前記画像読取装置から受信された、同一画像を異なる解像度で読み取った場合と同等の各スキャンデータのそれぞれの解像度と、これら各解像度のスキャンデータ量とを含むプロパティ情報を受信するプロパティ情報受信手段と、
前記プロパティ情報受信手段によって受信された各プロパティ情報に基づいて、前記変換前後のスキャンデータの解像度一覧を前記表示手段に表示させる第１表示制御手段と、
前記第１表示制御手段によって前記表示手段に表示される解像度一覧からユーザ所望解像度の選択を受け付ける解像度選択受付手段と、
前記解像度選択受付手段によって受け付けられた解像度からなるスキャンデータの送信要求指示を前記画像読取装置に送信する指示送信手段と、
前記指示送信手段から送信した前記指示に対応して、前記画像読取装置から送信されてきたスキャンデータ、及び前記プロパティ情報に基づく当該スキャンデータのデータ量を前記表示手段に表示させる第２表示制御手段と
を備える画像表示装置として機能させる画像表示プログラム。
【発明の詳細な説明】
【技術分野】
【０００１】
本発明は、ファイル管理システム、画像読取装置、画像表示装置、及び画像表示プログラムに関し、特に、スキャンデータ保存時の解像度を設定する技術に関するものである。
【背景技術】
【０００２】
従来から、特許文献１に示されるように、スキャナによって原稿を複数の解像度で読み取った場合の各スキャンデータ量を、ネットワーク上のコンピュータに表示させるネットワークスキャナ装置が提案されている。このネットワークスキャナ装置としてのデジタル複合機１は、制御部１０が、スキャナ部２４によって設定解像度で読み取られた原稿のスキャンデータ量を、この設定解像度以外の解像度で読み取った場合の値に換算し、設定解像度で読み取った原稿のスキャンデータ量と当該換算値とを、デジタル複合機１の表示パネル２０に表示するように構成されている。
【特許文献１】特開２００４−２２１８２６号公報
【発明の開示】
【発明が解決しようとする課題】
【０００３】
しかしながら、上記ネットワークスキャナ装置の場合、ある原稿を複数の解像度で読み込んだ場合におけるそれぞれのスキャンデータ量は把握できるが、これら複数の解像度からなる各スキャンデータの画像品質、すなわち、どの程度の鮮明さで画像が表示又は印刷等されるかまで把握することはできない。
【０００４】
本発明は、上記の問題を解決するためになされたもので、ある原稿を複数の解像度で読み込んだとした場合のそれぞれの正確なスキャンデータ量及び画像品質を簡単に把握することができるようにすることを目的とするものである。
【課題を解決するための手段】
【０００５】
本発明の請求項１に記載の発明は、スキャンデータを記憶可能な１以上の画像読取装置と、当該画像読取装置から受信した前記スキャンデータが表示される表示手段を有し、当該画像読取装置にネットワークを介して接続された１以上のコンピュータとを備えるファイル管理システムであって、
前記画像読取装置は、予定された解像度で原稿上の画像を読み取るスキャナ手段と、このスキャナ手段によって読み取られたスキャンデータを、上記とは別の予め定められた解像度に変換するスキャンデータ変換手段と、前記スキャンデータ変換手段による変換前後のスキャンデータについての解像度及びデータ量を含むプロパティ情報を検出するプロパティ情報検出手段と、前記変換前後のスキャンデータ又はこれらについてのプロパティ情報を前記コンピュータに送信するスキャンデータ送信手段とを有し、
前記コンピュータは、前記画像読取装置のスキャンデータ送信手段から受信した前記各スキャンデータのプロパティ情報に基づいて、前記各スキャンデータの解像度一覧を前記表示手段に表示させる第１表示制御手段と、この第１表示制御手段によって前記表示手段に表示される解像度一覧からユーザ所望解像度の選択を受け付ける解像度選択受付手段と、この解像度選択受付手段によって受け付けられた解像度からなるスキャンデータの送信要求指示を前記画像読取装置に送信する指示送信手段とを有し、
前記画像読取装置のスキャンデータ送信手段は、前記コンピュータの指示送信手段から送信されてくる前記指示が示す解像度のスキャンデータを前記コンピュータに送信し、前記コンピュータには、当該画像読取装置のスキャンデータ送信手段から送信されてきたスキャンデータ、及び前記プロパティ情報に基づく当該スキャンデータのデータ量を前記表示手段に表示させる第２表示制御手段が備えられているものである。
【０００６】
この構成では、画像読取装置のスキャナ手段が予定された解像度で読み取ったスキャンデータを、これとは別の異なる解像度にスキャンデータ変換手段が変換し、プロパティ情報検出手段は、これら変換前後のスキャンデータについてのプロパティ情報を検出し、スキャンデータ送信手段がこれら各プロパティ情報をコンピュータに送信する。コンピュータでは、当該プロパティ情報をプロパティ情報受信手段が受信し、このプロパティ情報に基づいて第１表示制御手段が各スキャンデータの解像度を表示手段に表示させる。この表示後、解像度選択受付手段がユーザ所望解像度の選択を受け付けると、当該選択された解像度からなるスキャンデータの送信要求指示が、送信指示送信手段から画像読取装置に送信される。画像読取装置では、スキャンデータ送信手段が、コンピュータからの指示が示す解像度のスキャンデータをコンピュータに送信し、これに対応して、コンピュータでは、第２表示制御手段が当該スキャンデータ及び当該スキャンデータについてのデータ量を表示手段に表示させる。
【０００７】
なお、上記プロパティ情報に含まれる解像度及びデータ量は、上記プロパティ情報受信手段が、両者を一度に画像読取装置から受信するようにしてもよいし、必要に応じたタイミングで別々に受信するようにしてもよい。
【０００８】
また、請求項２に記載の発明は、請求項１に記載のファイル管理システムであって、前記コンピュータは、前記スキャンデータを記憶可能な記憶手段と、前記第２表示制御手段によって前記表示手段に表示されているスキャンデータの保存指示を受け付ける保存指示受付手段と、前記保存指示受付手段によって前記スキャンデータの保存指示が受け付けられたとき、当該スキャンデータを前記記憶手段に保存させる制御手段と
を更に備えるものである。
【０００９】
この構成では、表示手段に表示されているスキャンデータの保存指示が保存指示受付手段によって受け付けられると、当該表示がされており既にコンピュータ側に受信されているスキャンデータが制御手段によって直ちに記憶手段に保存されるので、ユーザ所望の解像度からなるスキャンデータを迅速にコンピュータに保存することができる。
【００１０】
また、請求項３に記載の発明は、請求項１又は請求項２に記載のファイル管理システムであって、前記画像読取装置のスキャンデータ送信手段は、前記コンピュータの指示送信手段から前記指示が送信されてきたとき、当該指示が示す解像度のスキャンデータに代えて、当該スキャンデータのサムネイル画像データを前記コンピュータに送信するものである。
【００１１】
この構成では、画像読取装置のスキャンデータ送信手段から送信されてきた上記変換前後の各スキャンデータのサムネイル画像が、コンピュータの第２表示制御手段によって表示手段に表示される。
【００１２】
また、請求項４に記載の発明は、請求項１乃至請求項３のいずれかに記載のファイル管理システムであって、前記画像読取装置は、前記コンピュータの指示送信手段からの指示に基づいた解像度からなるスキャンデータの送信後、当該送信したスキャンデータ以外の別解像度スキャンデータを、前記各スキャンデータを記憶するスキャンデータ記憶手段から消去するスキャンデータ消去手段を更に備えるものである。
【００１３】
この構成では、コンピュータから指示された解像度からなるスキャンデータを、画像読取装置が当該コンピュータに対して送信した後は、不要となる蓋然性が高いその他の解像度からなるスキャンデータを、スキャンデータ消去手段がスキャンデータ記憶手段から消去するようにしている。
【００１４】
また、請求項５に記載の発明は、請求項１乃至請求項３のいずれかに記載のファイル管理システムであって、前記画像読取装置は、前記コンピュータの指示送信手段からの指示に基づいたスキャンデータの送信後、変換前の元スキャンデータのみを前記各スキャンデータを記憶するスキャンデータ記憶手段に残すスキャンデータセーブ手段を更に備えるものである。
【００１５】
この構成によれば、コンピュータから指示された解像度からなるスキャンデータを、画像読取装置が当該コンピュータに対して送信した後は、他の解像度にスキャンデータを変換し易い変換前の元スキャンデータを、スキャンデータセーブ手段がスキャンデータ記憶手段に残すようにしている。
【００１６】
また、請求項６に記載の発明は、請求項１乃至請求項５のいずれかに記載のファイル管理システムであって、前記スキャナ手段による原稿読取時の解像度、又は前記スキャンデータ変換手段によるスキャンデータ変換時の解像度の少なくとも一方は、ユーザによって任意に設定されるものである。
【００１７】
この構成では、ユーザが任意の解像度で、スキャナ手段による原稿読取時の解像度、又はスキャンデータ変換手段によるスキャンデータ変換時の解像度の少なくとも一方を設定するようになっている。
【００１８】
また、請求項７に記載の発明は、原稿から読み取ったスキャンデータを、ネットワークを介してコンピュータに送信可能な画像読取装置であって、
予定された解像度で原稿上の画像を読み取るスキャナ手段と、
前記スキャナ手段によって読み取られたスキャンデータを、上記とは別の予め定められた解像度に変換するスキャンデータ変換手段と、
前記変換前後のスキャンデータ又はこれらについての解像度を前記コンピュータに送信すると共に、前記コンピュータから指示された解像度のスキャンデータを前記コンピュータに送信するスキャンデータ送信手段と、
前記スキャンデータ送信手段によって前記コンピュータにスキャンデータが送信された後、当該送信したスキャンデータ以外の別解像度スキャンデータを前記各スキャンデータを記憶するスキャンデータ記憶手段から消去する処理、又は、変換前の元スキャンデータのみを前記スキャンデータ記憶手段に残す処理のいずれかを行うスキャンデータ整理手段と
を備えるものである。
【００１９】
また、請求項８に記載の発明は、画像読取装置からネットワークを介して受信したスキャンデータが表示される表示手段を有する画像表示装置であって、
前記画像読取装置から受信された、同一画像を異なる解像度で読み取った場合と同等の各スキャンデータのそれぞれの解像度と、これら各解像度のスキャンデータ量とを含むプロパティ情報を受信するプロパティ情報受信手段と、
前記プロパティ情報受信手段によって受信された各プロパティ情報に基づいて、前記変換前後のスキャンデータの解像度一覧を前記表示手段に表示させる第１表示制御手段と、
前記第１表示制御手段によって前記表示手段に表示される解像度一覧からユーザ所望解像度の選択を受け付ける解像度選択受付手段と、
前記解像度選択受付手段によって受け付けられた解像度からなるスキャンデータの送信要求指示を前記画像読取装置に送信する指示送信手段と、
前記指示送信手段から送信した前記指示に対応して、前記画像読取装置から送信されてきたスキャンデータ、及び前記プロパティ情報に基づく当該スキャンデータのデータ量を前記表示手段に表示させる第２表示制御手段と
を備えるものである。
【００２０】
また、請求項９に記載の発明は、画像読取装置からネットワークを介して受信したスキャンデータが表示される表示手段を有するコンピュータを、
前記画像読取装置から受信された、同一画像を異なる解像度で読み取った場合と同等の各スキャンデータのそれぞれの解像度と、これら各解像度のスキャンデータ量とを含むプロパティ情報を受信するプロパティ情報受信手段と、
前記プロパティ情報受信手段によって受信された各プロパティ情報に基づいて、前記変換前後のスキャンデータの解像度一覧を前記表示手段に表示させる第１表示制御手段と、
前記第１表示制御手段によって前記表示手段に表示される解像度一覧からユーザ所望解像度の選択を受け付ける解像度選択受付手段と、
前記解像度選択受付手段によって受け付けられた解像度からなるスキャンデータの送信要求指示を前記画像読取装置に送信する指示送信手段と、
前記指示送信手段から送信した前記指示に対応して、前記画像読取装置から送信されてきたスキャンデータ、及び前記プロパティ情報に基づく当該スキャンデータのデータ量を前記表示手段に表示させる第２表示制御手段と
を備える画像表示装置として機能させる画像表示プログラムである。
【発明の効果】
【００２１】
請求項１、請求項８及び請求項９に記載の発明によれば、ある原稿を複数の解像度で画像読取装置に読み込んだとした場合におけるそれぞれのスキャンデータのデータ量と、各スキャンデータの内容・鮮明さ（画像品質）を、ユーザがコンピュータ側で簡単に把握することができる。また、当該スキャンデータ量は、元のスキャンデータを実際にそれぞれの解像度に変換して得たものであるので、正確な数値が算出される。
【００２２】
請求項２に記載の発明によれば、表示手段に表示されているスキャンデータの保存指示が保存指示受付手段によって受け付けられると、当該表示がされており既にコンピュータ側に受信されているスキャンデータが直ちに保存されるので、ユーザ所望の解像度からなるスキャンデータを迅速にコンピュータに保存することができる。
【００２３】
請求項３に記載の発明によれば、ユーザは、各解像度のスキャンデータのサムネイル画像から、各解像度のスキャンデータの画像品質を把握することができる。
【００２４】
請求項４に記載の発明によれば、コンピュータから指示された解像度のスキャンデータを、画像読取装置がコンピュータに送信した後は、不要となる蓋然性が高いその他の解像度からなるスキャンデータを消去するので、スキャンデータ記憶手段の記憶領域が確保され、スキャンデータ記憶手段を有効に活用することができる。
【００２５】
請求項５に記載の発明によれば、コンピュータから指示された解像度のスキャンデータを、画像読取装置がコンピュータに送信した後は、他の解像度に変換し易い変換前の元スキャンデータが残るので、スキャンデータを再度他の解像度に変換する必要が生じた場合等であっても、他の解像度のスキャンデータを容易に作成することができる。
【００２６】
請求項６に記載の発明によれば、ユーザによって任意の解像度で、スキャナ手段による原稿読取時の解像度、又はスキャンデータ変換手段によるスキャンデータ変換時の解像度の少なくとも一方が設定されるので、ユーザが所望の解像度でスキャナ手段に原稿を読み込ませたり、この読み込まれたスキャンデータをユーザ所望の様々な解像度に変換したりすることができる。
【００２７】
請求項７に記載の発明によれば、コンピュータから指示された解像度のスキャンデータを、コンピュータに対して送信した後は、不要となる蓋然性が高いその他の解像度からなるスキャンデータを消去するので、スキャンデータ記憶手段の記憶領域が確保され、スキャンデータ記憶手段を有効に活用することができる。或いは、他の解像度に変換し易い変換前の元スキャンデータが残るので、スキャンデータを再度他の解像度に変換する必要が生じた場合等であっても、他の解像度のスキャンデータを容易に作成することができる。
【発明を実施するための最良の形態】
【００２８】
以下、本発明の一実施形態に係るファイル管理システム、画像読取装置、画像表示装置、及び画像表示プログラムについて図面を参照して説明する。図１は、本発明の一実施形態に係るファイル管理システムを示す図である。本発明の一実施形態に係るファイル管理システム１は、複合機（画像読取装置の一例）２…と、パーソナルコンピュータ（画像表示装置の一例）３…とを備える。図１に示すように、ＬＡＮ（Local Area Network）を構成する通信ケーブル４によって、複合機２…と、パーソナルコンピュータ３…とが接続されている。なお、これらパーソナルコンピュータ３及び複合機２の数は１以上であれば特に限定されない。複合機２は、コピー以外にプリンタ、スキャナおよびファクシミリ機能等を有する。本発明に係る画像読取装置の一例としての複合機２は、少なくとも、複合機２で読み込んだ原稿のスキャンデータを各パーソナルコンピュータ３に配信することができる機能を備える。
【００２９】
複合機２は、原稿を読み取るための例えばＣＣＤ２４１を備えたスキャナ部（スキャナ手段）２４と、このスキャナ部２４による原稿読み取り位置に対して原稿を自動給送する原稿給送部２２と、スキャナ部２４により読み込まれたスキャンデータに基づいて記録紙に画像を記録する画像記録部２６と、これらスキャナ部２４等を含む装置全体の動作制御を司る制御部２０とを備えている。この制御部２０がネットワークＩ/Ｆ２１を介して前記通信ケーブル４に接続されることにより、複合機２がネットワークスキャナ装置としての機能を果たすように構成されている。なお、スキャナ部２４による原稿読取解像度は、ユーザによる操作部２８の操作によって適宜設定変更が可能とされている。
【００３０】
前記制御部２０は、論理演算を実行する周知のＣＰＵ、そのＣＰＵを制御する種々のプログラムなどを予め記憶するＲＯＭおよび装置動作中に種々のデータを一時的に記憶するＲＡＭ等から構成されており、予め記憶されたプログラムに従って所定の画像記録動作等を実行すべくスキャナ部２４等を統括的に制御するように構成されている。例えば、複合機２をネットワークスキャナ装置として機能させる場合（スキャンデータを何れかのパーソナルコンピュータ３に送信するために、複合機２を使って原稿を読み取る場合）には、後に詳述するように、制御部２０は、予め設定される読み取り解像度で原稿を読み取るべくスキャナ部２４を動作制御する。
【００３１】
さらに制御部２０は、スキャンデータ変換部２０１、プロパティ情報検出部２０２及びスキャンデータ送信部２０３として機能する。スキャンデータ変換部（スキャンデータ変換手段）２０１は、スキャナ部２４によって読み取られたスキャンデータを、上記読取解像度とは別の予め定められた解像度に変換するものである。例えば、スキャンデータ変換部２０１は、例えば、スキャナ部２４での読取解像度が600dpiであった場合に、当該解像度で読み取られたスキャンデータを、当該解像度よりも低い解像度である200dpi，300dpi，400dpi等に変換処理し、これら各解像度からなる変換後のスキャンデータをＨＤＤ２３の所定領域に記憶させる。なお、スキャンデータ変換部２０１によって変換する各解像度は、ユーザによる操作部２８の操作によって適宜設定変更が可能とされている。
【００３２】
プロパティ情報検出部（プロパティ情報検出手段）２０２は、スキャナ部２４によって読み取られたスキャンデータ、及びスキャンデータ変換部２０１によって変換された変換後の各スキャンデータについて、それぞれのスキャンデータの解像度及びデータ量を検出し、スキャンデータの特性を示すプロパティ情報の一部とするものである。プロパティ情報検出部２０２は、各プロパティ情報を対応するスキャンデータと関連付けてＨＤＤ２３の上記所定領域に記憶させる。
【００３３】
スキャンデータ送信部２０３は、上記変換前後の各スキャンデータと、これらについての各プロパティ情報を必要に応じて適宜パーソナルコンピュータ３に送信するものである。
【００３４】
制御部２０には、画像メモリ２５及びＨＤＤ２３が接続されている。画像メモリ２５は、スキャナ部２４で読み取ったスキャンデータ（原稿データ）を一時的に記憶する等に用いられる。ＨＤＤ２３は、スキャナ部２４によって読み取られたスキャンデータや、各パーソナルコンピュータ３から送信されるファイルデータ及びスキャンデータ等を保存するものであり、上記のようにスキャンデータ変換部２０１によって変換された各スキャンデータ及びこれらについての各プロパティ情報が所定領域に記憶される。
【００３５】
複合機２には、さらに、ユーザが複合機２に対して各種設定を行うための操作キー２８１と、複合機２の動作状況をユーザに表示するＬＣＤ等からなる表示パネル２８２とを備えた操作部２８が設けられている。
【００３６】
この操作部２８は制御部２０に接続されており、制御部２０は、ユーザによる前記操作キー２８１の操作に基づいて各種動作を実行すべくスキャナ部２４等の駆動を制御するとともに、各種設定値（スキャナ部２４による原稿読取解像度、スキャンデータ変換部２０１による変換解像度等）や動作状況等をユーザに報知すべく表示パネル２８２による表示を制御するようになっている。
【００３７】
図２を参照してパーソナルコンピュータ３の構成を説明する。図２はパーソナルコンピュータ３の概略構成を示すブロック図である。パーソナルコンピュータ３は、制御部（制御手段）３１と、各種の動作プログラムが記憶されているＲＯＭ３２と、制御部３１の動作領域等として使用されるＲＡＭ３３と、複合機２から受信したデータ等の各種データを保存可能なＨＤＤ３４と、ＬＣＤ（Liquid Crystal Display）等からなるディスプレイ（表示手段）３５と、複合機２等との各種データ送受信を行うためのインタフェイスとして機能する通信Ｉ／Ｆ３６と、ユーザから各種の操作指示等が入力される入力装置（例えば、キーボードやマウスポインタ等）３７とを備える。通信Ｉ／Ｆ３６としては、有線無線を問わず各種のデータ転送手段が適用可能である。
【００３８】
制御部３１は、パーソナルコンピュータ３各部の動作を制御するものであり、表示制御部３１１と、解像度選択指示受付部３１２と、指示送信部３１３、指示受付部３１４としても機能する。表示制御部（第１表示制御手段，第２表示制御手段）３１１は、複合機２のスキャンデータ送信部２０３から送信されてくる上記各プロパティ情報をディスプレイ３５に表示させるものである。この他、表示制御部３１１は、(1)当該各プロパティ情報に基づいて各スキャンデータの解像度をディスプレイ３５に表示させ、(2)この解像度表示後、後述の解像度選択指示受付部３１２で受け付けられた解像度に対応するスキャンデータと共に、当該スキャンデータのデータ量をディスプレイ３５に表示させる、といった制御を行う。
【００３９】
解像度選択指示受付部３１２は、表示制御部３１１によってディスプレイ３５に上記各スキャンデータの解像度が表示されているときに、これらの解像度の中からユーザが所望の解像度を選択する指示を受け付ける。この選択指示は、ユーザによる入力装置３７の操作で入力され、解像度選択指示受付部３１２に受け付けられる。
【００４０】
指示送信部３１３は、解像度選択指示受付部３１２によって受け付けられた解像度選択指示を通信Ｉ／Ｆ３６を介して複合機２に対して送信する。指示受付部（保存指示受付手段）３１４は、表示制御部３１１によってスキャンデータの内容がディスプレイ３５に表示されているときに、当該データ量からなるスキャンデータの保存指示等を受け付ける。この保存指示は、例えば、ユーザによる入力装置３７の操作で入力される。
【００４１】
なお、制御部３１は、上記表示制御部３１１、解像度選択指示受付部３１２、指示送信部３１３及び指示受付部３１４が個別に回路等で構成されていてもよいし、また、ＲＯＭ３２又はＨＤＤ３４等に記憶されている画像表示プログラムに従って、ＣＰＵが上記表示制御部３１１、解像度選択指示受付部３１２、指示送信部３１３及び指示受付部３１４として動作する構成としてもよい。
【００４２】
次に、ファイル管理システム１において、複合機２で読み取られたスキャンデータをパーソナルコンピュータ３に保存する処理の第１実施形態を説明する。図３は、ファイル管理システム１において、複合機２で読み取られたスキャンデータをパーソナルコンピュータ３に保存する処理を示すフローチャート、図４乃至図７はスキャンデータ保存時におけるパーソナルコンピュータ３の表示画面例を示す図である。
【００４３】
複合機２において、ユーザによる操作部２８の操作で原稿読取指示が入力されると（Ｓ１でＹＥＳ）、制御部２０は、スキャナ部２４に、例えば、最高解像度で読取対象原稿を読み取らせ（Ｓ２）、読み取ったスキャンデータをＨＤＤ２３に記憶させる（Ｓ３）。スキャンデータを読取解像度以外の解像度に変換する場合、読取解像度よりも高い解像度に変換することはできないため、スキャナ部２４による原稿読取解像度を最高解像度として、スキャンデータを変換できる解像度の幅を拡げている。また、スキャナ部２４による当該原稿読み取り時の解像度は、ユーザによる操作部２８の操作で適宜設定変更が可能とされ、ユーザ所望の解像度でスキャン可能とされる。なお、ユーザから原稿読み取り指示が入力されない場合は（Ｓ１でＮＯ）、Ｓ２乃至Ｓ５をスキップしてＳ６に進む。
【００４４】
そして、スキャンデータ変換部２０１は、上記高解像度で読み取られたスキャンデータに基づいて、上記解像度よりも低い解像度からなるスキャンデータを複数作成する（Ｓ４）。すなわち、例えば、スキャンデータ変換部２０１は、スキャナ部２４での読取解像度が600dpiであったとすると、当該解像度よりも低い解像度である200dpi，300dpi，400dpi等のスキャンデータを作成して、これら変換前後のスキャンデータをＨＤＤ２３の所定領域に保存しておく。なお、スキャンデータ変換部２０１によって作成される各解像度は、ユーザによる操作部２８の操作によって適宜設定変更が可能とされ、ユーザ所望の解像度のスキャンデータが作成されるようになっている。
【００４５】
上記各解像度のスキャンデータ作成後、プロパティ情報検出部２０２が、各解像度のスキャンデータのデータ量を検出する。すなわち、プロパティ情報検出部２０２によって、各スキャンデータの解像度及びデータ量がプロパティ情報として検出される（Ｓ５）。検出された各プロパティ情報は各スキャンデータに付随させてＨＤＤ２３に保存される。なお、変換前の元スキャンデータが、基本スキャンデータとしてＨＤＤ２３に記憶され、変換された他の解像度のスキャンデータは予備的な第２群スキャンデータとしてＨＤＤ２３に記憶される。パーソナルコンピュータ３からの要求に基づいて、パーソナルコンピュータ３に複合機２のＨＤＤ２３内のファイル概要をサムネイル等で表示させる場合には（例えば図４）、基本スキャンデータが用いられる。
【００４６】
パーソナルコンピュータ３が複合機２にアクセスし、パーソナルコンピュータ３において、複合機２のＨＤＤ２３内の各ファイルの概要が、図４に示すような状態でディスプレイ３５に表示されているときに、ユーザによる入力装置３７の操作（例えば、マウスポインタで所望のファイルを右クリックする等の操作）がされ、所望のファイルが指定されると（ＳＳ１でＹＥＳ）、指示送信部３１３が、複合機２に対して当該指定されたファイルの解像度の送信を要求する（ＳＳ２）。
【００４７】
複合機２において、パーソナルコンピュータ３からの解像度送信要求が、ネットワークＩ／Ｆ２１を介して制御部２０に受け付けられると（Ｓ６でＹＥＳ）、スキャンデータ送信部２０３は、ＨＤＤ２３に各スキャンデータに付随させて記憶されているプロパティ情報に基づいて、変換前後の各スキャンデータの解像度をパーソナルコンピュータ３に対して送信する（Ｓ７）。ここでは、パーソナルコンピュータ３から解像度送信要求を複合機２に送信し、複合機２が解像度をパーソナルコンピュータ３に送信すると表現しているが、かかる処理には、パーソナルコンピュータ３が複合機２にアクセスして解像度を取得するあらゆる処理を広く含むものとする。なお、パーソナルコンピュータ３から解像度送信要求がない場合は（Ｓ６でＮＯ）、Ｓ７の処理をスキップする。
【００４８】
パーソナルコンピュータ３において、上記各スキャンデータの解像度が複合機２から通信Ｉ／Ｆ３６を介して制御部３１に受信されると、表示制御部３１１は解像度一覧をディスプレイ３５に表示させる（ＳＳ３）。すなわち、複合機２のスキャナ部２４が読み取った元スキャンデータが、スキャンデータ変換部２０１によって、どのような解像度に変換されているかが表示される。ユーザの観点から見れば、複合機２のスキャナ部２４が最高解像度で読み取ったスキャンデータを、どのような解像度でパーソナルコンピュータ３に取り込んで保存できるかが表示される、ということになる。例えば、図５に示すように、ユーザが名称「会議」のファイルを指定していた場合、当該「会議」ファイルに隣接させて解像度一覧が表示される。
【００４９】
ここで、ユーザがマウスポインタ（入力装置３７）を、所望の解像度が表示されている部分に合わせ、左ダブルクリック操作すること等によって所望の解像度を選択すると（ＳＳ４でＹＥＳ）、解像度選択指示受付部３１２が当該選択を受け付け、指示送信部３１３が、当該選択された解像度からなるスキャンデータと、このスキャンデータのデータ量の送信を複合機２に対して要求する（ＳＳ５）。
【００５０】
複合機２では、制御部２０が、ネットワークＩ／Ｆ２１を介して上記スキャンデータ及びデータ量の送信要求を受信すると（Ｓ８でＹＥＳ）、指示された解像度からなるスキャンデータ及びそのデータ量（プロパティ情報に基づく）をＨＤＤ２３から読み出し、この読み出されたスキャンデータ及びデータ量をスキャンデータ送信部２０３がパーソナルコンピュータ３に対して送信する（Ｓ９）。制御部２０が上記スキャンデータ及びデータ量送信要求を受信しない場合は（Ｓ８でＮＯ）、Ｓ９の処理をスキップする。
【００５１】
パーソナルコンピュータ３では、制御部３１が通信Ｉ／Ｆ３６を介して上記スキャンデータ及びデータ量を複合機２から受信すると、表示制御部３１１が、当該受信したスキャンデータ及びデータ量を図６に示すようにディスプレイ３５に表示させる（ＳＳ６）。すなわち、ユーザによってＳＳ４で選択された解像度のスキャンデータの内容が、そのデータ量と共に、サムネイル表示よりも大きな状態でディスプレイ３５に拡大表示される。
【００５２】
ここで、ユーザによる入力装置３７の操作によって、当該拡大表示されているスキャンデータの保存指示が入力され、指示受付部３１４に受け付けられると（ＳＳ７でＹＥＳ）、制御部３１は当該拡大表示されているスキャンデータ、すなわちユーザによって選択された解像度からなるスキャンデータであって、複合機２から受信されたスキャンデータをＨＤＤ３４に保存する（ＳＳ８）。ユーザによる上記スキャンデータ保存指示の入力は、例えば、ユーザがマウスポインタ（入力装置３７）を当該拡大表示部分に合わせて右クリック操作等すると、図７に示すように、拡大表示部分の近傍に操作メニューＭが表示され、ユーザがマウスポインタで「切取」表示部分を左クリックする操作等によって行われるようになっている。なお、ユーザによって上記スキャンデータ保存指示が入力されない場合は（例えば、操作メニューＭの「閉じる」を左クリックする等の操作による）、ＳＳ３に戻り、再度解像度一覧を表示する（ＳＳ７でＮＯ）。
【００５３】
上記スキャンデータ保存の終了後、指示送信部３１３は、スキャンデータの保存終了通知を複合機２に対して送信する（ＳＳ９）。複合機２において、制御部２０（スキャンデータ消去手段、スキャンデータ整理手段）がネットワークＩ／Ｆ２１を介して当該保存終了通知を受信すると（Ｓ１０でＹＥＳ）、パーソナルコンピュータ３に保存された上記解像度からなるスキャンデータ、すなわち、パーソナルコンピュータ３に対して送信を終えたスキャンデータを残して、当該解像度以外の解像度からなる各スキャンデータをＨＤＤ２３から消去する（Ｓ１１）。この消去により、ＨＤＤ２３内の空きデータ量を増やすようにしている。制御部２０が上記保存終了通知を受信しない場合は（Ｓ１０でＮＯ）、Ｓ１１の処理は行わず、各解像度からなるスキャンデータを残しておく。上記パーソナルコンピュータ３側の処理において、ＳＳ１でＮＯの場合は、処理は終了する。
【００５４】
なお、Ｓ１１の処理に代えて、パーソナルコンピュータ３へのスキャンデータ送信後、制御部２０（スキャンデータセーブ手段、スキャンデータ整理手段）は、スキャナ部２４で読み取った元スキャンデータをＨＤＤ２３に残し、元スキャンデータ以外のスキャンデータを消去するようにしてもよい。この場合には、最も高い解像度のスキャンデータがＨＤＤ２３に残ることになるので、低解像度のスキャンデータを再度作成することが可能になるし、また、他の画像処理を行う場合にも最も高い解像度のスキャンデータに基づいて行うことができるため利用価値が高い。
【００５５】
ファイル管理システム１によって、このような一連の処理を行うことで、ある原稿を複数の解像度で読み込んだとした場合におけるそれぞれのスキャンデータ量を、ユーザがパーソナルコンピュータ３側で把握することができると共に、各解像度からなるそれぞれのスキャンデータの内容がディスプレイ３５に大きく表示されるので、各解像度のスキャンデータの画像品質を確認することができる。
【００５６】
本発明は上記実施の形態の構成に限られず種々の変形が可能である。例えば、上記実施形態では、図３に示した上記ファイル管理システム１による処理において、パーソナルコンピュータ３は、ユーザによって所望のファイルが指定された場合（ＳＳ１でＹＥＳ）、複合機２から当該ファイルについて、変換前後の各スキャンデータについての解像度のみを取得するようにしているが（Ｓ７，ＳＳ３）、この解像度取得時に、各スキャンデータと、それらの解像度及びデータ量を含む各プロパティ情報とを取得しておいて、後にユーザによって所望解像度が選択されたときに（ＳＳ４でＹＥＳ）、表示制御部３１１が、既に取得しておいた上記スキャンデータ、及びプロパティ情報に基づくデータ量を用いて図６に示すような表示を行うようにしてもよい。
【００５７】
また、上記図３に示した実施形態では、ユーザによって所望解像度が選択されたときに（ＳＳ４でＹＥＳ）、複合機２から、ユーザにより選択された解像度からなるスキャンデータをパーソナルコンピュータ３が要求して取得するようにしているが（ＳＳ５）、このとき、スキャンデータに代えて、当該スキャンデータのサムネイル画像データを取得するようにしてもよい。このようにサムネイル画像データを取得した場合は、ＳＳ６においては、受信したサムネイル画像データ及びデータ量を表示する。このようにすれば、ユーザは、選択した解像度からなるスキャンデータの内容（画像品質）を大まかに把握できると共に、複合機３から受信するデータ量を低減することができる。
【００５８】
また、上記実施形態では、本発明に係る画像読取装置を複合機２として説明しているが、複合機２はあくまでも画像読取装置の一例であり、本発明に係る画像読取装置を複合機２に限定する趣旨ではない。同様に、上記実施形態では、本発明に係るコンピュータ、画像表示装置をパーソナルコンピュータ３として説明しているが、パーソナルコンピュータ３はあくまでも画像表示装置の一例であり、本発明に係る画像表示装置コンピュータ、をパーソナルコンピュータ３に限定する趣旨ではない。
【００５９】
また、上記図１乃至図７で示した構成及び処理は、あくまでも一例であり、本発明は上記に示した構成及び処理に限定されるものではない。
【図面の簡単な説明】
【００６０】
【図１】本発明の一実施形態に係るファイル管理システムを示す図である。
【図２】パーソナルコンピュータの概略構成を示すブロック図である。
【図３】ファイル管理システムにおいて、複合機で読み取られたスキャンデータをパーソナルコンピュータに保存する処理を示すフローチャートである。
【図４】スキャンデータ保存時におけるパーソナルコンピュータの表示画面例を示す図である。
【図５】スキャンデータ保存時におけるパーソナルコンピュータの表示画面例を示す図である。
【図６】スキャンデータ保存時におけるパーソナルコンピュータの表示画面例を示す図である。
【図７】スキャンデータ保存時におけるパーソナルコンピュータの表示画面例を示す図である。
【符号の説明】
【００６１】
１        ファイル管理システム
２        複合機
２０      制御部
２０１    スキャンデータ変換部
２０２    プロパティ情報検出部
２０３    スキャンデータ送信部
２４      スキャナ部
３        パーソナルコンピュータ
３１      制御部
３１１    表示制御部
３１２    解像度選択指示受付部
３１３    指示送信部
３１４    指示受付部
３５      ディスプレイ
３７      入力装置
【図１】
2006211616.tif 000003
【図２】
2006211616.tif 000004
【図３】
2006211616.tif 000005
【図４】
2006211616.tif 000006
【図５】
2006211616.tif 000007
【図６】
2006211616.tif 000008
【図７】
2006211616.tif 000009